(57)【要約】    【課題】  フォームディスペンサーを泡沫用液体タンクと離隔し、フォームを供給したい部位に直接供給することのできるトリガー式フォームディスペンサーを提供する。    【解決手段】  空気流入口６、泡沫用液体流入口５、及び、泡沫吐出用フィルター７を備える混合室４と、吸引口１１を備える泡沫用液体溜室１０と、トリガー２と連動するピストン２２、シリンダー２３、泡沫用液体溜室１０と連通口２４によって連通するピストン室２５、及び、復帰バネ２６を備えるピストンポンプ３０と、ポンプ室１９、吸気口２０、及び空気吐出口１６を備え、トリガー２によって圧縮排気され、自己復帰によって吸気する空気ポンプ１５と、泡沫用液体流入口５、吸引口１１、空気流入口６、及び吸気口２０の各々に設けられた逆止弁９、１２、１４、２１と、吸引口１１に連通接続され前記ケーシング外に延びる前記可撓性ホース１３と、を有する。【選択図】  図１
2007296493.tif 000002
【特許請求の範囲】
【請求項１】
離隔配置される泡沫用液体タンクから可撓性ホースを通じて泡沫用液体を吸い上げ、該泡沫用液体と空気を混合し泡沫にして吐出するためのトリガー式フォームディスペンサーであって、
トリガーと、
該トリガーを揺動自在に支持するケーシングと、
前記トリガーと連動するピストン、前記可撓性ホースと逆止弁を介して連通する泡沫用液体吸引口、及び泡沫用液体吐出口を有する、ピストンポンプと、
前記トリガーと連動し、ポンプ室、前記ピストンポンプの泡沫用液体吸引時に前記ポンプ室外から逆止弁を介して吸気する吸気口、及び、前記ピストンポンプの泡沫用液体吐出時に該ポンプ室内から空気を吐出する空気吐出口を有する、空気ポンプと、
前記泡沫用液体吐出口と逆止弁を介して連通するとともに、前記空気吐出口と逆止弁を介して連通し、且つ、泡沫吐出用フィルターを備える混合室と、
を有することを特徴とするトリガー式フォームディスペンサー。
【発明の詳細な説明】
【技術分野】
【０００１】
本発明は、泡沫用液体と空気を混合して泡沫を吐出するためのトリガー式フォームディスペンサーに関する。
【背景技術】
【０００２】
従来、整髪剤やシャンプー等の泡沫用液体を空気と混合し、泡沫にして吐出するフォームディスペンサーが種々提案されている（例えば、特許文献１、２参照）。
【特許文献１】特開平８−２９９８６５号公報
【特許文献２】特開２００４−１０５９０２号公報
【発明の開示】
【発明が解決しようとする課題】
【０００３】
従来のフォームディスペンサーは、泡沫用液体を収容した泡沫用液体タンクを一体的に取り付けられており、据え置き型として使用するものである。そのため、使用に際しては、手の平にフォームを吐出し、所要箇所に塗布する。
【０００４】
しかしながら、必要とするフォームの量がフォームディスペンサーから一度に吐出できる量より多い場合、何度も手に平にフォームを吐出させるという作業を行う必要がある。そして、この種のタンク一体型フォームディスペンサーは、据え置きタイプとして設計されているため、持ち上げて傾けたり、或いは、逆さにすると、泡沫用液体が漏れ出てしまったり、或いは、フォームを吐出できなくなる。
【０００５】
そこで、本発明は、フォームディスペンサーを泡沫用液体タンクから離隔し、フォームを供給したい部位に直接供給することのできるトリガー式フォームディスペンサーを提供することを目的とする。
【課題を解決するための手段】
【０００６】
上記目的を達成するため、本発明に係るトリガー式フォームディスペンサーは、離隔した泡沫用液体タンクから可撓性ホースを通じて泡沫用液体を吸い上げ、該泡沫用液体と空気を混合し泡沫にして吐出するためのトリガー式フォームディスペンサーであって、トリガーと、該トリガーを揺動自在に支持するケーシングと、前記トリガーと連動するピストン、前記可撓性ホースと逆止弁を介して連通する泡沫用液体吸引口、及び泡沫用液体吐出口を有する、ピストンポンプと、前記トリガーと連動し、ポンプ室、前記ピストンポンプの泡沫用液体吸引時に前記ポンプ室外から逆止弁を介して吸気する吸気口、及び、前記ピストンポンプの泡沫用液体吐出時に該ポンプ室内から空気を吐出する空気吐出口を有する、空気ポンプと、前記泡沫用液体吐出口と逆止弁を介して連通するとともに、前記空気吐出口と逆止弁を介して連通し、且つ、泡沫吐出用フィルターを備える混合室と、を有することを特徴とする。
【発明の効果】
【０００７】
本発明によれば、トリガー式フォームディスペンサーは、離隔して配置される泡沫用液体タンクと可撓性ホースによって接続される。トリガーを操作すると、ピストンポンプと空気ポンプとが連動する。ピストンポンプが可撓性ホースを通じて前記タンク内の泡沫用液体を泡沫用液体吸引口から吸引すると同時に、空気ポンプが外気を吸気する。このとき、泡沫用液体吐出口及び空気吐出口が逆止弁によって閉じられているので、泡沫用液体の吸引と外気の吸気が効果的になされる。そして、ピストンポンプが泡沫用液体吐出口から泡沫用液体を混合室に吐出すると同時に、空気ポンプも空気を混合室に吐出する。このとき、泡沫用液体吸引口及び空気流入口が逆止弁によって閉じられているので、泡沫用液体と空気とが混合室内に効果的に圧送される。混合室では、泡沫用液体と空気とが混合され、泡沫吐出用フィルターを通ることで泡沫となって吐出される。
【発明を実施するための最良の形態】
【０００８】
本発明に係るトリガー式フォームディスペンサーの最良の実施形態について、以下に図１〜図３を参照しつつ説明する。
【０００９】
トリガー式フォームディスペンサー１は、トリガー２が、ピストルのような形状をしたケーシング３に揺動自在に支持されている。
【００１０】
ケーシング３内には、泡沫用液体と空気とを混合するための混合室４が形成されている。混合室４は、泡沫用液体が流入する泡沫用液体流入口５、空気が流入する空気流入口６、及び、泡沫用液体と空気の混合物を泡沫にして吐出する泡沫吐出用フィルター７を備えている。泡沫吐出用フィルター７の下流位置には、ノズル８が接続されている。
【００１１】
混合室４の泡沫用液体流入口５には、吐出方向の流れを許容しその逆方向の流れを阻止する逆止弁９が設けられている。
【００１２】
泡沫用液体流入口５は、逆止弁９を介して、ピストンポンプ３０の泡沫用液体吐出口１０ａと連通している。
【００１３】
ピストンポンプ３０は、トリガー２と連動するピストン２２、ピストン２２を収容するシリンダー２３、シリンダー２３内のピストン室２５、ピストン室２５と連通口２４によって連通する泡沫用液体溜室１０、連通口２４を介してピストン室２５内に流体を吸引する方向にピストン２２を付勢する復帰バネ２６、泡沫用液体溜室１０の上流端に設けられた泡沫用液体吸引口１１、及び、泡沫用液体溜室１０の下流端に設けられた泡沫用液体吐出口１０ａを備えている。
【００１４】
泡沫用液体吸引口１１には、吸引方向の流れを許容してその逆方向の流れを阻止する逆止弁１２を介して、可撓性ホース１３が接続されている。可撓性ホース１３は、ケーシング３の外に延びている。
【００１５】
図示例では、トリガー２の半球状突起２ａが、ピストン２２の連接ロッド２２ａの球面凹部２２ｂに嵌っている。
【００１６】
トリガー２を引けば、ピストン２２が押されてピストン室２５が収縮し、トリガー２を離せば、復帰バネ２６によってピストン２２が押されてピストン室２５が膨張する。ピストン室２５が膨張する際、連通口２４を通じて、泡沫用液体溜室１０内に吸引力を作用させる。この吸引時、泡沫用液体流入口５は逆止弁９によって閉鎖されるが、吸引口１１の逆止弁１２は吸引力によって開かれる。その結果、可撓性ホース１３を通じて、泡沫用液体タンク２７（図１参照）から泡沫用液体を、泡沫用液体溜室１０及びピストン室２５内に吸い上げることができる。
【００１７】
混合室４の空気流入口６は、混合室４への空気の流入を許容して流出を阻止する逆止弁１４を介し、空気ポンプ１５の空気吐出口１６とホース１７によって接続されている。
【００１８】
空気ポンプ１５は、弾性材料によって形成された嚢１８によって構成されるポンプ室１９を備え、嚢１８に空気吐出口１６及び吸気口２０が設けられている。吸気口２０には、吸気を許容して排気を阻止する逆止弁２１が設けられている。空気ポンプ１５は、トリガー２を引くことによって圧縮されると、内部空気を空気吐出口１６から排気し、トリガーを離すと、その保有弾性によって圧縮された変形状態から圧縮前の原形に自己復帰する際に吸気口２０から吸気する。吸気の際には、空気流入口６の逆止弁１４は閉じられている。
【００１９】
使用に際しては、最初にトリガー２を何度か引き操作することにより、泡沫用液体を泡沫用液体タンク２７から泡沫用液体溜室１０内まで吸い上げておくことが必要となる。泡沫用液体が泡沫用液体溜室１０内まで吸い上げられていない状態では、トリガー２を引いてもノズル８からは泡沫が吐出しない。しかし、一端、泡沫用液体を泡沫用液体溜室１０内及びピストン室２５内に吸い上げておけば、その後は、トリガー２を引けば、ノズル８から直ちに泡沫が吐出されることになる。
【００２０】
可撓性ホース１３の長さは、特に限定されるものではないが、例えば１〜１．５ｍとすることが好ましい。長すぎると、吸引負担が大きくなり、短すぎると、フォームを供給すべき箇所まで届かないからである。
【００２１】
ピストン室２５と空気ポンプ１５のポンプ室１９とは、最大容積の容積比が、ピストン室：ポンプ室＝１：８〜１２とすることが、泡沫形成の上で好ましい。
【００２２】
泡沫吐出用フィルター７には、泡沫の発生を促進するため、メッシュフィルターを備えることが好ましい。メッシュフィルターは、１００〜３００メッシュ程度のものが好ましい。また、泡の粒子を調整するために、メッシュフィルターを一段又は２段にすることが好ましい。
【００２３】
上記構成を有するトリガー式フォームディスペンサー１は、トリガー２を引くことにより、ピストン２２と空気ポンプ１５とが同時に押圧され、ピストン室２５が圧縮されるとともに、空気ポンプ１５が原形から圧縮される。その結果、ピストン室２５内に吸引貯蔵されていた泡沫用液体が連通口２４を通じて泡沫用液体溜室１０を通じて混合室４内に吐出されると同時に、ポンプ室１９に吸気されていた空気が空気流入口６を通じて混合室４内に吐出され、混合室４内において混合されて、泡沫吐出用フィルター７から泡沫となって吐出される。従って、ピストン２２による圧力に、空気ポンプ１５からの吐出空気圧が付加されて、泡沫吐出用フィルター５から泡沫が吐出される。
【００２４】
トリガー２を離すと、復帰バネ２６に押されてトリガー２は原位置に戻るとともに、復帰バネ２６がピストン２２を押すことによって、上記したように可撓性ホース１３を通じて泡沫用液体を泡沫用液体溜室１０及びピストン室２５内に吸い込む。空気ポンプ１５の嚢１８は、保有弾性によって原形に自己復帰し、自己復帰の際に吸気口２０からポンプ室１９内に吸気する。
【００２５】
なお、泡沫用液体は、空気と混合されることによって泡沫となりやすいように製造されたものを使用する。
【００２６】
上記構成のトリガー式フォームディスペンサーは、各流路に設けられた逆止弁の作用により、操作中、如何なる方向にケーシング３を向けても、液だれや、泡沫吐出不能を起こすことがないので、フォームを供給したい部位に自由に直接供給することができる。
【００２７】
以上、本発明の好ましい実施形態について説明したが、本発明は上記実施形態に限定されるものではない。本発明の技術的範囲の範囲内において、種々の変更が可能である。
【００２８】
例えば、上記実施形態では、ピストンポンプが、連通口２４と連通する泡沫用液体溜室１０を備える例を示したが、連通口２４を２カ所に設け、一方の連通口を泡沫用液体吸引口１１に接続し、他方の連通口を泡沫用液体吐出口１０ａに接続して泡沫用液体溜室を省略することも可能である。
【００２９】
また、上記実施形態では、空気ポンプは、上記実施形態に限らず、トリガーの作動に連動して、ポンプ室を膨張させて吸気し、ポンプ室を収縮させて排気するものであればよく、例えば、ダイアフラムポンプ、スプリング復帰式の空気ポンプ、スプリング復帰式のピストンポンプ等を適用することもできる。
【００３０】
さらに、図３に示すように、トリガー２に親指以外の指を通す環２ｂを設け、ケーシングのハンドル部分に親指を通す環２ｃを設けるともに、突起２ａ′と、ピストン２２の連接ロッド２２ａ′とを、ピン４０等を介して揺動自在に連結することにより、トリガー２を指の力で引き戻すことができるようにし、泡沫用液体の吸引力を手動により高めることができるようにしてもよい。この場合、復帰スプリングは補助的に使用しても良いし、省くことも可能である。
【図面の簡単な説明】
【００３１】
【図１】本発明に係るトリガー式フォームディスペンサーの実施形態を示す断面図である。
【図２】図１のトリガー式フォームディスペンサーの使用状態を示す側面図である。
【図３】本発明に係るトリガー式フォームディスペンサーの他の実施形態を示す断面図である。
【符号の説明】
【００３２】
１  トリガー式フォームディスペンサー
２  トリガー
３  ケーシング
４  混合室
５  泡沫用液体流入口
６  空気流入口
７  泡沫吐出用フィルター
８  ノズル
９，１２，１４，２１  逆止弁
１１  泡沫用液体吸引口
１０  泡沫用液体溜室
１０ａ  泡沫用液体吐出口
１３  可撓性ホース
１５  空気ポンプ
１６  空気吐出口
１８  嚢
１９  ポンプ室
２０  吸気口
２２  ピストン
２３  シリンダー
２４  連通口
２５  ピストン室
２６  復帰バネ
３０  ピストンポンプ
【図１】
2007296493.tif 000003
【図２】
2007296493.tif 000004
【図３】
2007296493.tif 000005